(57)【要約】【課題】冊子を折り畳まずに封緘でき、開封の手間がかからず、保管しておく形状も良好で、しかも、廉価な冊子封緘物を提供する。【解決手段】この冊子封緘物１０は、複数のページからなる冊子１１と、表表紙１２ａと裏表紙１２ｂが折り線１２ｃで２つ折りされ、冊子１１を小口側から挟み込むように被うカバー１２と、このカバー１２を冊子１１の綴じ部付近に強接着する強接着層１３と、カバー１２の折り線１２ｃ付近に形成され、この封緘物１０を開封する開封ミシン目１４と、強接着層１３の内側に沿って形成され、表表紙１２ａ，裏表紙１２ｂを容易に開閉できるようにする筋押し線１５とを備える。【選択図】        図１
2005001207.tif 000002
【特許請求の範囲】
【請求項１】
複数のページからなる冊子と、
表表紙と裏表紙が折り部で２つ折りされ、前記冊子を小口側から挟み込むように被うカバー片と、
前記カバー片を前記冊子の綴じ部付近に強接着する強接着層と、
前記カバー片の折り部付近に形成され、この封緘物を開封する開封手段と、
を備えた冊子封緘物。
【請求項２】
請求項１に記載の冊子封緘物において、
前記強接着層の内側に沿って形成され、前記表表紙及び／又は裏表紙を開閉容易にする易開閉線を備えること、
を特徴とする冊子封緘物。
【請求項３】
請求項１又は請求項２に記載の冊子封緘物において、
前記カバー片の折り部に設けられ、前記冊子の厚みに応じて、前記カバー片の背幅を調整する背幅調整手段を備えること、
を特徴とする冊子封緘物。
【発明の詳細な説明】
【０００１】
【発明の属する技術分野】
本発明は、冊子を封緘した冊子封緘物に関するものである。
【０００２】
【従来の技術】
従来より、カタログ、情報販促誌、広告媒体誌等の冊子を封筒に封入し、ＤＭ（ダイレクトメール）として送付することが行なわれている。
【０００３】
また、開封の手間を省き開封率を上げるために様々な工夫がなされている。一般的なのは、ミシン目により端部を切りとって、開封する手法である。
【０００４】
一方、用紙を内部に封入した封書用フォーム等の技術もある（例えば、特許文献１参照）。
【０００５】
【特許文献１】
実開昭６１−２０６４８４号公報
【０００６】
【発明が解決しようとする課題】
しかし、上述した従来の技術では、以下のような問題があった。
（１）定型郵便サイズ封筒を用いたものでは、十分なアイキャッチ効果が得られなかった。
（２）冊子を封筒に封入しただけでは、封筒内部の冊子が固定されていないため、冊子がミシン目付近に移動してしまい、ミシン目による端部の切り取りが行ないづらいという問題があった。
（３）特許文献１の封書用フォームでは、複数のページからなる冊子を封入することはできなかった。
【０００７】
（４）大きさの限られた封筒内に冊子を納める場合には、冊子自体が折り畳んで封入されるので、ＤＭを受け取った消費者は、冊子にあまり興味を示さず、また冊子を読んだとしても、１回だけ読んで捨ててしまうことが多いという問題もあった。この理由は、配達後に冊子を見るには折を展開しなければならず、また、保管しておく形状としても不向きだからである。
【０００８】
（５）冊子をフィルムの袋でくるんだ場合には、環境の面からも必ずしも最適な方法とは言えないうえ、また、販促情報を乗せるときに、フィルムでは、デザイン上の制約やコストがかかるなどの問題があった。
【０００９】
本発明の課題は、冊子を折り畳まずに封緘でき、開封の手間がかからず、保管しておく形状も良好で、しかも、廉価な冊子封緘物を提供することである。
【００１０】
【課題を解決するための手段】
前記課題を解決するために、請求項１の発明は、複数のページからなる冊子と、表表紙と裏表紙が折り部で２つ折りされ、前記冊子を小口側から挟み込むように被うカバー片と、前記カバー片を前記冊子の綴じ部付近に強接着する強接着層と、前記カバー片の折り部付近に形成され、この封緘物を開封する開封手段と、を備えた冊子封緘物である。
【００１１】
請求項２の発明は、請求項１に記載の冊子封緘物において、前記強接着層の内側に沿って形成され、前記表表紙及び／又は裏表紙を開閉容易にする易開閉線を備えること、を特徴とする冊子封緘物である。
【００１２】
請求項３の発明は、請求項１又は請求項２に記載の冊子封緘物において、前記カバー片の折り部に設けられ、前記冊子の厚みに応じて、前記カバー片の背幅を調整する背幅調整手段を備えること、を特徴とする冊子封緘物である。
【００１３】
【発明の実施の形態】
以下、本発明の好適な実施形態について図面を参照して詳細に説明する。
（第１実施形態）
図１は、本発明に係る冊子封緘物の第１実施形態を示す図である。
第１実施形態の冊子封緘物１０は、冊子１１と、カバー１２などとを備えている。
冊子１１は、図１（Ａ）に示すように、冊子封緘物１０の封緘対象となる物で、複数のページからなる従来公知のものであり、表表紙１１ａ、裏表紙１１ｂが設けられている。
【００１４】
カバー１２は、図１（Ｂ）に示すように、表表紙１２ａと裏表紙１２ｂが折り線１２ｃで２つ折りされ、冊子１１を小口側から挟み込むように被う形態の片である。
カバー１２は、封緘する冊子１１が輸送中に折り曲がらない程度の剛性を有し、加工適正を満足する、１００〜１６０グラム／ｍ２  の用紙を用いることができる。カバー１２は、ＰＰ（ポリプロピレン）加工したものであってもよい。
表表紙１２ａの表面には、宛名欄が設けられており、送付先の住所、氏名等が記載される。この宛名欄は、表表紙１２ａに直接印刷することにより形成されていてもよいし、別途作成されたラベルを貼り込むことにより形成されていてもよい。
【００１５】
カバー１２には、このカバー１２を冊子１１の綴じ部付近に強接着する強接着層１３と、カバー１２の折り線１２ｃ付近に形成され、この封緘物１０を開封する開封ミシン目（開封手段）１４が設けられている。
また、カバー１２には、強接着層１３の内側に沿って形成され、表表紙１２ａ，裏表紙１２ｂを容易に開閉できるようにする筋押し線（易開閉線）１５が設けられている。
【００１６】
第１実施形態の冊子封緘物１０は、図１（Ｃ）に示すように、開封ミシン目１４、筋押し線１５が形成されたカバー１２を、冊子１１の小口側から挟み込み、カバー１２の両端を、強接着層１３で冊子１１の綴じ部付近に接着し、図１（Ｄ）に示すような形態にする。
このようにして、冊子封緘物１０が完成したら、この冊子封緘物１０は、郵送、宅配便等の手段により、宛名に記載された消費者に届けられる。この冊子封緘物１０は、冊子１１がカバー１２で封緘されているため、送付時に冊子１１が開いたり、形が崩れたり、汚損したりすることがない。
【００１７】
この冊子封緘物１０が届いたら、消費者側では、開封ミシン１４を切り取ると、そのまま、冊子１１を見ることができる。そして、冊子１１は、折り畳まれていない状態で封緘されていたので、そのままの状態で冊子として保存することができる。そのため、消費者は、従来の折り畳まれた冊子に比べて、保存しておこうという気持ちがより高まることになる。
【００１８】
第１実施形態によれば、冊子１１の小口側を、カバー１２でくるむように接着するため、配送時のハンドリング（取り扱い）が容易である。
また、あらかじめ開封予定部分に、開封ミシン目１４を施すことで、開封を容易にする。
さらに、開封後は、くるんだカバー１２が冊子１１の表紙となり、保管する形態としても良好である。
さらにまた、強接着層１３の内側に、筋押し線１４を施したので、開封後、冊子１１の表紙となるカバー１２を開きやすくなる、等々の効果がある。
【００１９】
（第２実施形態）
図２は、本発明に係る冊子封緘物の第２実施形態を示す図である。
なお、前述した第１実施形態と同様な機能を果たす部分には、同一の符号又は末尾に統一した符号を付して、重複する説明や図面を適宜省略する。
第２実施形態の冊子封緘物１０−２は、開封手段をして開封ミシン目１４ではなく、カバー１２−２の片面に開封ジッパ１４−２を形成し、より開けやすい形態としたものである。
【００２０】
（第３実施形態）
図３は、本発明に係る冊子封緘物の第３実施形態を示す図である。
第３実施形態の冊子封緘物１０−３は、カバー１２−３の折り部付近にマチ部１２ｄを設け、開封ミシン目１４との間に、厚紙などの紙芯１６を設けたものである。
【００２１】
この紙芯１６は、冊子１１の厚みに応じて、カバー１２−３の背幅を調整する背幅調整手段であり、この紙芯１６を設けることにより、より厚みのある冊子１１−３に対応することができる。
【００２２】
第３実施形態によれば、表紙として使用するカバー１２には、折り部付近に紙芯を設けたので、カバー１２を冊子１１−３の厚さにあわせた形状（背幅）とすることができる。
開封後に表紙になるカバー１２−３に設けられた紙芯１６によって、冊子１１−３の厚さにあわせた厚みを形成することができ、また、比較的大きな冊子１１−３でも折れ曲りにくい強度を持たせることができる。
【００２３】
（変形形態）
以上説明した実施形態に限定されることなく、種々の変形や変更が可能であって、それらも本発明の均等の範囲内である。
第３実施形態において、紙芯１６は、１枚の平坦な板紙の例で説明したが、図１（Ｅ）に示すように、Ｌ型に加工したもの（１６−２）でも、コの字形に加工したもの（１６−３）でもよい。
【００２４】
カバー１２の内側に冊子１１だけを封緘したが、冊子の他、付属物を貼付してもよい。付属物としては、例えば、ＣＤ−ＲＯＭ、ＤＶＤ、ＦＤ等の記録媒体や、商品サンプルや、返信用ハガキ等が挙げられる。これらの付属物は、カバー１２の内面に仮接着すればよい。
また、カバー１２は、外側又は内側に、適宜の印刷を施すことができる。この印刷内容は、どのようなものであってもよいが、開封後に、冊子１１のカバーとなるので、冊子１１のデザインに合わせた内容とすることができる。例えば、冊子の表表紙と連続又は関連した絵柄をカバーの外側又は内側に印刷することが可能となる。
【００２５】
【発明の効果】
以上説明したように、本発明によれば、以下のような種々の効果がある。
（１）冊子の小口側を、カバー片でくるむように接着するため、配送時のハンドリング（取り扱い）が容易である。
（２）予め、開封予定部分に、開封手段を施すことで、開封を容易にする。
（３）開封後は、くるんだカバー片が冊子の表紙となり、保管する形態としても良好である。
（４）強接着層の内側に、易開閉線を施したので、開封後、冊子の表紙となるカバー片を開きやすくなる。
（５）カバー片の折り部付近に背幅調整手段を設けたので、カバー片を冊子の厚さにあわせた形状とすることができる。
【図面の簡単な説明】
【図１】本発明に係る冊子封緘物の第１実施形態を示す図である。
【図２】本発明に係る冊子封緘物の第２実施形態を示す図である。
【図３】本発明に係る冊子封緘物の第３実施形態を示す図である。
【符号の説明】
１０  冊子封緘物
１１  冊子
１２  カバー
１３  強接着層
１４  開封ミシン目
１５  筋押し線
１６  紙芯
【図１】
2005001207.tif 000003
【図２】
2005001207.tif 000004
【図３】
2005001207.tif 000005